【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
建屋に設置された機器の位置を取得する位置取得部と、
前記建屋の画像及び前記機器の状態を表す画像を取得する画像取得部と、
前記機器の状態を取得する機器状態取得部と、
前記画像取得部が取得した前記建屋の画像及び前記機器の状態を表す画像を用いて、前記建屋の画像上の前記位置取得部が取得した機器の位置に、前記機器状態取得部が取得した機器の状態を表示する画面を構築する画面構築部と、
前記画面構築部が構築した画面を出力する出力部と、
前記画面上でのユーザの入力操作を検出する入力部と、
前記入力部が検出した入力操作に基づいて、前記機器を制御する制御内容を決定する制御内容決定部と、
前記制御内容決定部が決定した制御内容に対応する制御信号を前記機器に送信する機器制御部と、
を備える制御装置。
【請求項２】
前記機器は、前記建屋の甲の領域から乙の領域に空気を搬送しうる換気装置を含み、
前記機器の状態は前記換気装置の運転状態を含み、
前記機器の状態を表す画像は矢印の画像を含み、
前記画面構築部は、前記換気装置の運転状態を表示する際に、前記建屋の画像上で、前記換気装置の空気搬送元の領域から空気搬送先の領域を指し示す向きの矢印の画像を用いる、
請求項１に記載の制御装置。
【請求項３】
前記入力部が検出した入力操作が、前記画面上の前記甲の領域から前記乙の領域へのドラッグ操作又はスワイプ操作であり、
前記機器状態取得部が、前記甲の領域から前記乙の領域へ空気を搬送しうる前記換気装置の運転状態がＯＦＦであることを取得した場合、
前記制御内容決定部は、前記制御内容を、前記甲の領域から前記乙の領域へ空気を搬送しうる前記換気装置の電源をＯＮにする制御内容に決定する、
請求項２に記載の制御装置。
【請求項４】
前記入力部が検出した入力操作が、前記画面上の前記甲の領域と前記乙の領域の間でのピンチイン操作であり、
前記機器状態取得部が、前記甲の領域と前記乙の領域の間で空気搬送を行う前記換気装置の運転状態がＯＮであることを取得した場合、
前記制御内容決定部は、前記制御内容を、前記換気装置の電源をＯＦＦにする制御内容に決定する、
請求項２又は３に記載の制御装置。
【請求項５】
前記機器状態取得部が、前記甲の領域と前記乙の領域の間で空気搬送を行う前記換気装置の運転状態がＯＮであることを取得した場合において、
前記入力部が検出した入力操作が、前記画面上の前記甲の領域と前記乙の領域の間でのピンチアウト操作である場合は、
前記制御内容決定部は、前記制御内容を、前記換気装置の風量を増加させる制御内容に決定し、
前記入力部が検出した入力操作が、前記画面上の前記甲の領域と前記乙の領域の間でのピンチイン操作である場合は、
前記制御内容決定部は、前記制御内容を、前記換気装置の風量を減少させる制御内容に決定する、
請求項２又は３に記載の制御装置。
【請求項６】
前記入力部が検出した入力操作が、前記画面上の前記甲の領域から前記乙の領域へのドラッグ操作又はスワイプ操作であり、
前記機器状態取得部が、空気搬送方向を反転可能な前記換気装置の運転状態が、空気搬送を前記乙の領域から前記甲の領域に対して行っている状態であることを取得した場合、
前記制御内容決定部は、前記制御内容を前記換気装置の空気搬送方向を反転する制御内容に決定する、
請求項２から５のいずれか１項に記載の制御装置。
【請求項７】
前記機器状態取得部が、前記甲の領域から前記乙の領域へ空気搬送を行う前記換気装置の運転状態がＯＮであることを取得した場合において、
前記入力部が検出した入力操作が、前記画面上の前記甲の領域から前記乙の領域へのドラッグ操作又はスワイプ操作である場合は、
前記制御内容決定部は、前記制御内容を、前記換気装置の風量を増加させる制御内容に決定し、
前記入力部が検出した入力操作が、前記画面上の前記乙の領域から前記甲の領域へのドラッグ操作又はスワイプ操作である場合は、
前記制御内容決定部は、前記制御内容を、前記換気装置の風量を減少させる制御内容に決定する、
請求項２から４のいずれか１項に記載の制御装置。
【請求項８】
前記入力部が検出した入力操作が、前記画面上の前記乙の領域から前記甲の領域へのドラッグ操作又はスワイプ操作であり、
前記機器状態取得部が、前記甲の領域から前記乙の領域へ空気搬送を行う前記換気装置の運転状態がＯＮであることを取得した場合、
前記制御内容決定部は、前記制御内容を、前記換気装置の電源をＯＦＦにする制御内容に決定する、
請求項２、３または５のいずれか１項に記載の制御装置。
【請求項９】
前記入力部が検出した入力操作が、前記画面上の前記甲の領域から前記乙の領域を指し示す向きの前記矢印の画像を切る方向のドラッグ操作又はスワイプ操作であり、
前記機器状態取得部が、前記甲の領域と前記乙の領域の間で空気搬送を行う前記換気装置の運転状態がＯＮであることを取得した場合、
前記制御内容決定部は、前記制御内容を、前記換気装置の電源をＯＦＦにする制御内容に決定する、
請求項２、３、５、６または７のいずれか１項に記載の制御装置。
【請求項１０】
前記画面構築部は、前記機器状態取得部が取得した前記換気装置の運転状態がＯＮであるかＯＦＦであるかによって、前記矢印の画像の表示を異ならせる、
請求項２から９のいずれか１項に記載の制御装置。
【請求項１１】
前記画面構築部は、前記矢印の画像を用いて、前記換気装置が空気を搬送しうる方向を示し、
前記機器状態取得部が、前記甲の領域と前記乙の領域との間でいずれの方向にも空気を搬送しうる前記換気装置の運転状態がＯＦＦであることを取得した場合、
前記画面構築部は、前記矢印の画像を両矢印で表現する、
請求項２から１０のいずれか１項に記載の制御装置。
【請求項１２】
前記画面構築部は、前記換気装置の風量の強弱の度合いに応じて前記矢印の太さが変化する画面を構築する、
請求項２から１１のいずれか１項に記載の制御装置。
【請求項１３】
前記画面構築部は、前記換気装置の風量の強弱の度合いに応じて前記矢印の画像を拡大乃至縮小させる、
請求項２から１１のいずれか１項に記載の制御装置。
【請求項１４】
前記画面構築部は、前記換気装置を制御するための操作用シンボルを表示する画面を構築する、
請求項２から１３のいずれか１項に記載の制御装置。
【請求項１５】
前記入力部が検出した入力操作が、前記操作用シンボルの押下げ又はタッチの操作である場合、
前記画面構築部は、前記操作用シンボルを拡大表示した画面を構築する、
請求項１４に記載の制御装置。
【請求項１６】
前記操作用シンボルには、換気を示す矢印画像と、前記矢印画像上をドラッグ操作でスライド可能な操作用シンボルと、が含まれ、
前記入力部が検出した入力操作が、前記操作用シンボルの前記矢印画像上のドラッグ操作である場合、
前記制御内容決定部は、前記ドラッグ操作後の前記操作用シンボルの位置に基づいて、前記制御内容を、前記換気装置の風量および空気搬送方向の少なくともいずれかを変更する制御内容に決定する、
請求項１４又は１５に記載の制御装置。
【請求項１７】
前記画像取得部は、制御可否を切り替えるためのモード切換シンボルをさらに取得し、
前記画面構築部は、さらに前記モード切換シンボルを含む画面を構築し、
前記入力部が、前記モード切換シンボルに対する入力操作を検出した場合、
前記モード切換シンボルに対応する前記機器の状態を表す画像を表示から非表示に、または非表示から表示に切り替えた画面を前記出力部で出力し、
前記機器の状態を表す画像を非表示にしている場合、前記制御内容決定部は、当該機器に対する入力操作を受け付けないことを特徴とする、
請求項１から１６のいずれか１項に記載の制御装置。
【請求項１８】
前記機器が制御可能であるか否かを判定する制御可否判定部をさらに備え、
前記機器制御部は、前記制御可否判定部が、前記機器が制御可能であると判定した場合のみ、前記制御信号を前記機器に送信する、
請求項１から１７のいずれか１項に記載の制御装置。
【請求項１９】
建屋に設置されたセンサが検出するセンサ情報を取得するセンサ情報取得部と、
前記センサの設置位置を記憶するセンサ設置位置記憶部と、
をさらに備え、
前記画面構築部は、構築する前記画面上で、前記センサ設置位置記憶部に記憶された前記センサの設置位置に対応する領域を、前記センサ情報取得部が取得したセンサ情報に基づいて変化させる、
請求項１から１８のいずれか１項に記載の制御装置。
【請求項２０】
前記画面構築部は、構築する前記画面上で、前記センサ設置位置記憶部に記憶された前記センサの設置位置に対応する領域の色の明暗を、前記センサ情報取得部が取得したセンサ情報に基づいて変化させる、
請求項１９に記載の制御装置。
【請求項２１】
前記画面構築部は、構築する前記画面上で、前記センサ設置位置記憶部に記憶された前記センサの設置位置に対応する領域に、前記センサ情報取得部が取得したセンサ情報を文字で表示する、
請求項１９に記載の制御装置。
【請求項２２】
前記センサ情報と、前記換気装置の運転状態と、の履歴の情報を記憶するセンサ状態履歴記憶部をさらに備え、
前記画面構築部は、前記センサ状態履歴記憶部に記憶した情報に基づいた履歴画面を複数構築し、
前記出力部は、自動的乃至はユーザ操作に基づいて順次前記履歴画面を表示することを特徴とする、
請求項１９から２１のいずれか１項に記載の制御装置。
【請求項２３】
請求項１から２２のいずれか１項に記載の制御装置と、
換気装置と、
を備え、
前記制御装置の機器状態取得部は、前記換気装置の運転状態を取得し、
前記制御装置の機器制御部は、制御信号を前記換気装置に送信する、
制御システム。
【請求項２４】
建屋の画像上に機器の状態を表示する画面を構築する画面構築ステップと、
前記画面構築ステップで構築された画面上でのユーザの入力操作を検出する入力ステップと、
前記入力ステップで検出された入力操作に基づいて、前記機器を制御する制御内容を決定する制御内容決定ステップと、
前記制御内容決定ステップで決定された制御内容に対応する制御信号を前記機器に送信する機器制御ステップと、
を備える制御方法。
【請求項２５】
コンピュータを、
建屋の画像及び機器の状態を表す画像を取得する画像取得部、
前記機器の状態を取得する機器状態取得部、
前記画像取得部が取得した前記建屋の画像及び前記機器の状態を表す画像を用いて、前記建屋の画像上に、前記機器状態取得部が取得した機器の状態を表示する画面を構築する画面構築部、
前記画面構築部が構築した画面を出力する出力部、
前記画面上でのユーザの入力操作を検出する入力部、及び
前記入力部が検出した入力操作に基づく制御信号を前記機器に送信する機器制御部、
として機能させるためのプログラム。